(57)【要約】【課題】スペクトラム拡散変調された信号及び拡散符号の相関値のピークを高精度で検出することができる通信装置を提供することを課題とする。【解決手段】拡散符号によりスペクトラム拡散変調された信号を入力し、シンボル単位で前記入力信号及び拡散符号の相関値を演算する相関器（１１３Ｉ，１１３Ｑ，１１５Ｉ，１１５Ｑ）と、前記相関値のピークを検出する第１のピーク検出器（１１８）と、前記ピークが検出されたときの相関値をスロットパターンに応じて正負符号反転して複数のシンボルについて積分する演算器（１２３Ｉ，１２３Ｑ，１２５Ｉ，１２５Ｑ）と、前記積分された相関値のピークを検出する第２のピーク検出器（１２８）とを有することを特徴とする通信装置が提供される。【選択図】図１
2008109271.tif 000002
【特許請求の範囲】
【請求項１】
拡散符号によりスペクトラム拡散変調された信号を入力し、シンボル単位で前記入力信号及び拡散符号の相関値を演算する相関器と、
前記相関値のピークを検出する第１のピーク検出器と、
前記ピークが検出されたときの相関値をスロットパターンに応じて正負符号反転して複数のシンボルについて積分する演算器と、
前記積分された相関値のピークを検出する第２のピーク検出器と
を有することを特徴とする通信装置。
【請求項２】
前記演算器は、前記ピークが検出されたときの相関値の絶対値が閾値よりも大きいときにのみ、前記ピークが検出されたときの相関値をスロットパターンに応じて正負符号反転して複数のシンボルについて積分することを特徴とする請求項１記載の通信装置。
【請求項３】
前記相関器は、前記入力信号としてＩ信号及びＱ信号を入力し、前記Ｉ信号の相関値及び前記Ｑ信号の相関値を演算し、
前記第１のピーク検出器は、前記Ｉ信号の相関値及び前記Ｑ信号の相関値の電力のピークを検出し、
前記演算器は、前記Ｉ信号の相関値及び前記Ｑ信号の相関値をそれぞれ積分し、
前記第２のピーク検出器は、前記積分されたＩ信号の相関値及び前記積分されたＱ信号の相関値の電力のピークを検出することを特徴とする請求項１又は２記載の通信装置。
【請求項４】
さらに、前記第１のピーク検出器の検出信号又は前記第２のピーク検出器の検出信号を選択的に出力するセレクタを有する請求項１〜３のいずれか１項に記載の通信装置。
【請求項５】
さらに、前記第２のピーク検出器の検出信号に応じた周波数の信号を発振する発振器と、
前記発振器が発振する信号を基にスペクトラム拡散変調された信号を直交復調する直交復調回路とを有し、
前記相関器は、前記直交復調された信号を入力することを特徴とする請求項１〜４のいずれか１項に記載の通信装置。
【発明の詳細な説明】
【技術分野】
【０００１】
本発明は、通信装置に関する。
【背景技術】
【０００２】
スペクトラム拡散通信装置では、送信側で拡散符号を用いて拡散変調が行われ、その拡散変調された信号が送信される。一方、受信側では、拡散符号と同一の参照用拡散符号を用いて逆拡散が行われる。また、受信側では、送信側で用いた拡散符号と同一のタイミングで同一の拡散符号を用いて逆拡散を行う必要がある。このため、受信側では、拡散符号のタイミングの同期を初期同期において確立する必要がある。
【０００３】
下記の特許文献１では、マッチドフィルタにおいて、受信ベースバンド信号のデータをシフトさせ、シフトされたデータと参照符号とに基づいて相関値を求め、制御装置において、第１段階では、マッチドフィルタで参照符号が同期確立用ショートコードの際に求められた相関値が最大となるタイミングをとり、第２段階では、マッチドフィルタで群識別用ショートコードを切り換えながら相関値が最大となる群識別用ショートコードを求め、第３段階では、相関値が最大となる群識別用ショートコードにより特定される群に属するロングコードのみを求める。
【０００４】
また、下記の特許文献２では、ＣＤＭＡ受信装置の受信タイミング検出回路は、デジタル受信信号を得るＡ／Ｄ変換器と、一定周期毎にデジタル受信信号と既知の信号系列との相互相関をあらかじめ定められた遅延範囲内で求める系列相関器と、その出力信号をＡ／Ｄ変換器のサンプリング周波数より速い周波数でサンプリングし直すインタポレーションフィルタと、サンプリングし直された相互相関信号の電力を求める電力計算部と、相互相関信号電力を複数の周期にわたって平均化する平均化部と、平均化された相互相関信号電力のピークを求め、最適な受信タイミングを決定するピーク検出部とを備える。
【０００５】
【特許文献１】特開平１１−３４０８７４号公報
【特許文献２】特開平１０−３２５２３号公報
【発明の開示】
【発明が解決しようとする課題】
【０００６】
本発明の目的は、スペクトラム拡散変調された信号及び拡散符号の相関値のピークを高精度で検出することができる通信装置を提供することである。
【課題を解決するための手段】
【０００７】
本発明の一観点によれば、拡散符号によりスペクトラム拡散変調された信号を入力し、シンボル単位で前記入力信号及び拡散符号の相関値を演算する相関器と、前記相関値のピークを検出する第１のピーク検出器と、前記ピークが検出されたときの相関値をスロットパターンに応じて正負符号反転して複数のシンボルについて積分する演算器と、前記積分された相関値のピークを検出する第２のピーク検出器とを有することを特徴とする通信装置が提供される。
【発明の効果】
【０００８】
複数のシンボルについて相関値を積分してピークを検出することにより、スペクトラム拡散変調された信号及び拡散符号の相関値のピークを高精度で検出することができる。これにより、高精度で周波数を制御して同期をとることができる。
【発明を実施するための最良の形態】
【０００９】
（第１の実施形態）
図４は、本発明の第１の実施形態によるスペクトラム直接拡散通信装置の受信部の構成例を示すブロック図であり、具体的には発振器４０９の自動周波数制御回路（Automatic Frequency Controller）の構成例を示す。
【００１０】
この通信装置は、他の通信装置の送信部から受信信号を受信し、高周波数信号から中間周波数信号に変換した信号ＳＳを生成する。受信信号（入力信号）ＳＳは、拡散符号によりスペクトラム拡散変調された信号である。直交復調回路（ミキサ）４０１は、受信信号ＳＳ及び電圧制御発振器（ＶＣＯ）４０９が発振する信号を乗算し、Ｉ信号及びＱ信号を含むベースバンドスペクトラム拡散信号を出力する。ローパスフィルタ４０２は、このベースバンドスペクトラム拡散信号のうちの高調波成分とエリアシング雑音（折り返し雑音）をカットし、その他の成分を通過させる。アナログ／デジタル変換器４０３は、ローパルフィルタ４０２の出力信号を所定クロック周波数でサンプリングし、アナログからデジタルに変換し、デジタルの受信スペクトラム拡散信号を出力する。相関器４０４は、このデジタルの受信スペクトラム拡散信号を入力し、予め準備されている拡散符号との相関値を演算して出力する。この相関器４０４は、マッチドフィルタ（ＭＦ）である。ピーク検出器４０５は、この相関値の電力のピーク（最大値）を検出する。掃引制御器４０６は、上記のピーク検出結果に応じて、掃引カウンタ４０７を制御する。掃引カウンタ４０７は、上記のピークが検出されるまでは一定範囲内で順次増加カウントを行い、上記のピークが検出されるとカウントを停止する。デジタル／アナログ変換器４０８は、カウンタ４０７のカウント値をデジタルからアナログに変換し、そのアナログ電圧を電圧制御発振器４０９に出力する。電圧制御発振器４０９は、このアナログ電圧に応じた周波数の信号を発振する。復調回路４１０は、アナログ／デジタル変換器４０３の出力信号に対して拡散符号を基にスペクトラム拡散復調（逆拡散）し、復調データを出力する。
【００１１】
スペクトラム拡散通信装置では、送信側で拡散符号を用いて拡散変調が行われ、その拡散変調された信号が送信される。一方、受信側では、拡散符号と同一の参照用拡散符号を用いて逆拡散が行われる。また、受信側では、送信側で用いた拡散符号と同一のタイミングで同一の拡散符号を用いて逆拡散を行う必要がある。このため、受信側では、拡散符号のタイミングの同期を初期同期において確立する必要がある。すなわち、初期同期において、拡散符号のタイミングの同期がとれるように、発振器４０９の発振周波数を制御する必要がある。
【００１２】
図５は、相関値の電力の周波数特性を示す図である。横軸は、発振器４０９の発振周波数ｆｒｅｑを示す。縦軸は、相関器４０４が出力する相関値の電力ＰＷＲを示す。相関値の電力ＰＷＲは、相関器４０４が出力するＩ信号の相関値の２乗とＱ信号の相関値の２乗との和を示す。
【００１３】
例えば、カウンタ４０７が一定範囲内で順次増加カウントし、発振器４０９の周波数ｆｒｅｑを掃引させると、図５のような相関値の電力ＰＷＲが検出される。周波数ｆｒｅｑを変化させると、同期周波数ｆｃにおいて相関値の電力ＰＷＲのピークが生ずる。初期同期においては、受信信号ＳＳに拡散符号が含まれている。受信信号ＳＳに含まれる拡散符号と通信装置が予め準備した拡散符号との同期がとれた周波数ｆｃで、相関値の電力ＰＷＲがピークとなる。ピーク検出器４０５は、この相関値の電力ＰＷＲのピークを検出する。その電力ＰＷＲのピークが検出されると、その発振器４０９の発振周波数ｆｃで初期引き込みが完了したとして、カウンタ４０７は掃引カウントを停止する。これにより、発振器４０９の発振周波数は同期周波数ｆｃに固定される。その後、復調回路４１０は、アナログ／デジタル変換器４０３の出力信号に対して拡散符号を基にスペクトラム拡散復調を行い、復調データを出力する。
【００１４】
同期中心周波数ｆｃ付近で、相関値の電力ＰＷＲはほぼ平坦であるため、中心周波数ｆｃの検出のための電力ＰＷＲのピーク検出はある程度の誤差が生じる可能性があり、システムがこの誤差を許容できないような場合は問題が生じる。
【００１５】
本実施形態では、電力ＰＷＲのピークを高精度で検出することを目的とする。そのためには、図５の周波数特性において同期中心周波数ｆｃ付近で急峻な特性が得られるようにすればよい。
【００１６】
図６は、スペクトラム拡散通信における送信フレームの構成例を示す図である。無線リンクを確立するために、最も受信電力（逆拡散後の相関値のピーク電力）の大きな共通パイロットチャネルＣＰＩＣＨが送信され、通信装置の受信部ではこのパイロットチャネルの相関値のピーク検出により周波数制御を行う。
【００１７】
送信フレームは、例えば１５個のシンボルＳＹＭで１スロットＳＬが構成されており、スロットＳＬ境界弁別のために、自己及び相互相関特性の優れたユニークなスロットパターンＳＰ０〜ＳＰ１４が設けられている。１５個のシンボルＳＹＭは、拡散符号ＳＣ及びスロットパターンＳＰ０〜ＳＰ１４を有する。１個のシンボルＳＹＭは、２５６個のチップを有する。スロットパターンＳＰ０〜ＳＰ１４は、例えば「１００１１０１０１１１１０００」の１５ビットパターンである。以下、スロットパターンＳＰ０〜ＳＰ１４の個々、又はその総称をスロットパターンＳＰという。
【００１８】
拡散率ＳＦは、送信データ速度（ビットレート）に対する拡散符号速度（チップレート）の比を表す。拡散率ＳＦは、可変である。拡散率ＳＦを大きくすると、復調回路１０５のスペクトラム拡散復調処理が複雑になり、ビットレートが小さくなる。
【００１９】
例えば、拡散率ＳＦが２５６の場合は、チャネルＣＰＩＣＨで１個のシンボルＳＹＭにつき１個のデータを送信することができる。拡散率ＳＦが６４の場合は、チャネルＣＣＰＣＨで１個のシンボルＳＹＭにつき４個のデータを送信することができる。拡散率ＳＦが８の場合は、チャネルＤＰＤＣＨで１個のシンボルＳＹＭにつき３２個のデータを送信することができる。
【００２０】
図１は、図４の相関器４０４及びピーク検出器４０５の構成例を示す図である。セレクタ１０３は、シンボル演算器１０１が出力するピーク検出信号Ｓ１３９又はスロット演算器１０２が出力するピーク検出信号Ｓ１４７を選択し、ピーク検出信号Ｓ１４８を掃引制御器４０６に出力する。
【００２１】
Ｉ信号ＩＮＩ及びＱ信号ＩＮＱは、アナログ／デジタル変換器４０３から入力する信号である。シフトレジスタ１１１Ｉは、Ｉ信号ＩＮＩを順次入力してシフトして記憶する。シフトレジスタ１１１Ｑは、Ｑ信号ＩＮＱを順次入力してシフトして記憶する。シフトレジスタ１１１Ｉ及び１１１Ｑは、１個のシンボルＳＹＭ分の信号データを記憶する。１個のシンボルＳＹＭは、２５６個のチップＣＰを有する。アナログ／デジタル変換器４０３は４倍のオーバーサンプリングによりアナログからデジタルに変換するので、１個のチップＣＰは４個のデータを有する。
【００２２】
レジスタ１１２Ｉは、シフトレジスタ１１１Ｉ内の４個置きのレジスタのＩ信号データを抽出し、２５６ビットのＩ信号データを順次記憶し、２５６ビットのＩ信号データＳ１３１Ｉを出力する。レジスタ１１２Ｑは、シフトレジスタ１１１Ｑ内の４個置きのレジスタのＱ信号データを抽出し、２５６ビットのＱ信号データを順次記憶する。
【００２３】
レジスタ１１４Ｉは、Ｉ信号の２５６ビットの拡散符号ＳＣを予め記憶しており、２５６ビットの拡散符号Ｓ１３２Ｉを出力する。レジスタ１１４Ｑは、Ｑ信号の２５６ビットの拡散符号ＳＣを予め記憶している。
【００２４】
乗算器１１３Ｉは、２５６ビットのＩ信号データＳ１３１Ｉ及び２５６ビットの拡散符号Ｓ１３２Ｉをビット毎に乗算し、２５６ビットの相関値Ｓ１３３Ｉを出力する。同期がとれている場合には、データＳ１３１Ｉ及び拡散符号Ｓ１３２Ｉは同じである。乗算器１１３Ｉは、ビット毎に、データＳ１３１Ｉ及び１３２Ｉが一致しているときには「＋１」を出力し、一致していないときには「−１」を出力する。なお、２の補数表現では、「＋１」は０、「−１」は１で表される。
【００２５】
また、同様に、乗算器１１３Ｑは、レジスタ１１２Ｑの２５６ビットのＱ信号データ及びレジスタ１１４Ｑの２５６ビットの拡散符号をビット毎に乗算し、２５６ビットの相関値を出力する。
【００２６】
積分器（加算器）１１５Ｉは、２５６個の相関値Ｓ１３３Ｉを積分（加算）し、シンボルＳＹＭの相関値Ｓ１３４Ｉを出力する。相関値Ｓ１３４Ｉは、２５６ビットの拡散符号がすべて一致していれば「＋２５６」になり、すべて不一致であれば「−２５６」になる。
【００２７】
ここで、他の通信装置の送信部は、シンボルＳＹＭ毎に、スロットパターンＳＰが０であれば拡散符号をそのまま送信し、スロットパターンＳＰが１であれば拡散符号を反転して送信する。
【００２８】
したがって、同期がとれている場合、相関値Ｓ１３４Ｉは、スロットパターンＳＰが０のときには「＋２５６」になり、スロットパターンＳＰが１のときには「−２５６」になる。また、同期がとれていない場合には、相関値Ｓ１３４Ｉは、「０」に近い値になる。
【００２９】
また、同様に、積分器（加算器）１１５Ｑは、２５６個の乗算器１１３Ｑが出力する相関値を積分（加算）し、シンボルＳＹＭの相関値Ｓ１３４Ｑを出力する。
【００３０】
乗算器１１６Ｉは、Ｉ信号の相関値Ｓ１３４Ｉを２乗した相関値Ｓ１３５Ｉを出力する。乗算器１１６Ｑは、Ｑ信号の相関値Ｓ１３４Ｑを２乗した相関値Ｓ１３５Ｑを出力する。加算器１１７は、相関値Ｓ１３５Ｉ及びＳ１３５Ｑを加算し、相関値の電力Ｓ１３６を出力する。電力Ｓ１３６は、図５の縦軸の相関値の電力ＰＷＲに対応する。
【００３１】
ピーク検出器１１８は、電力Ｓ１３６のピーク（最大値）を検出し、ピーク検出信号Ｓ１３７，Ｓ１３９を出力する。
【００３２】
保持回路１２１は、ピーク検出信号Ｓ１３７が入力されると、Ｉ信号の相関値Ｓ１３４Ｉ及びＱ信号の相関値Ｓ１３４Ｑを保持し、その保持したＩ信号の相関値Ｓ１３８Ｉ及びＱ信号の相関値Ｓ１３８Ｑを出力する。
【００３３】
シフトレジスタ１２２Ｉは、Ｉ信号についてシンボルＳＹＭの相関値Ｓ１３８Ｉを順次入力してシフトして記憶する。シフトレジスタ１２２Ｑは、Ｑ信号についてシンボルＳＹＭの相関値Ｓ１３８Ｑを順次入力してシフトして記憶する。シフトレジスタ１２２Ｉ及び１２２Ｑは、１個のスロットＳＬ分の相関値を記憶する。１個のスロットＳＬは、１５個のシンボルＳＹＭを有する。シフトレジスタ１２２Ｉは、１５個のシンボルの相関値Ｓ１４１Ｉを出力する。
【００３４】
また、同様に、シフトレジスタ１２２Ｑは、Ｑ信号についてシンボルＳＹＭの相関値Ｓ１３８Ｑを順次入力してシフトして記憶し、１５個のシンボルの相関値を出力する。
【００３５】
レジスタ１２４は、１５ビットのスロットパターンＳＰ０〜ＳＰ１４を予め記憶しており、その記憶している１５ビットのスロットパターンＳ１４２を出力する。
【００３６】
乗算器１２３Ｉは、１５個の相関値Ｓ１４１Ｉ及び１５ビットのスロットパターンＳ１４２を乗算し、相関値Ｓ１４３Ｉを出力する。すなわち、乗算器１２３Ｉは、シンボルＳＹＭ毎に、スロットパターンＳ１４２が０のときには相関値Ｓ１４１Ｉをそのまま相関値Ｓ１４３Ｉとして出力し、スロットパターンＳ１４２が１のときには相関値Ｓ１４１Ｉを正負符号反転して相関値Ｓ１４３Ｉとして出力する。これにより、同期がとれている場合、スロットパターンＳＰが０であるときには、相関値Ｓ１４１Ｉが「＋２５６」になり、相関値Ｓ１４３Ｉも「＋２５６」になる。これに対し、スロットパターンＳＰが１であるときには、相関値Ｓ１４１Ｉが「−２５６」になり、相関値Ｓ１４３Ｉが「＋２５６」になる。
【００３７】
また、同様に、乗算器１２３Ｑは、シフトレジスタ１２２Ｑの１５個の相関値及び１５ビットのスロットパターンＳ１４２を乗算し、相関値を出力する。
【００３８】
積分器（加算器）１２５Ｉは、１５個の相関値Ｓ１４３Ｉを積分（加算）し、スロットＳＬの相関値Ｓ１４４Ｉを出力する。同様に、積分器（加算器）１２５Ｑは、乗算器１２３Ｑが出力する１５個の相関値を積分（加算）し、スロットＳＬの相関値Ｓ１４４Ｑを出力する。
【００３９】
乗算器１２６Ｉは、Ｉ信号の相関値Ｓ１４４Ｉを２乗した相関値Ｓ１４５Ｉを出力する。乗算器１２６Ｑは、Ｑ信号の相関値Ｓ１４４Ｑを２乗した相関値Ｓ１４５Ｑを出力する。加算器１２７は、相関値Ｓ１４５Ｉ及びＳ１４５Ｑを加算し、相関値の電力Ｓ１４６を出力する。電力Ｓ１４６は、図５の縦軸の相関値の電力ＰＷＲに対応する。
【００４０】
ピーク検出器１２８は、電力Ｓ１４６のピーク（最大値）を検出し、ピーク検出信号Ｓ１４７を出力する。
【００４１】
以上のように、シンボル演算器１０１は、シンボルＳＹＭ単位の相関値の電力Ｓ１３６のピークを検出し、ピーク検出信号Ｓ１３９を出力する。これに対し、スロット演算器１０２は、スロットＳＬ単位の相関値の電力Ｓ１４６のピークを検出し、ピーク検出信号Ｓ１４７を出力する。セレクタ１０３は、ピーク検出信号Ｓ１３９又はＳ１４７を選択的に出力することができる。
【００４２】
シンボル演算器１０１は、拡散率ＳＦが２５６であるので、１個のシンボルＳＹＭ（２５６個のチップＣＰ）内で１回ピークを検出し、ピーク検出信号Ｓ１３９を出力する。スロット演算器１０２は、シンボル演算器１０１から１５個のシンボルＳＹＭの相関値を入力し、スロットパターンＳＰを用いて相関値の電力のピークを検出し、ピーク検出信号Ｓ１４７を出力する。ピーク検出信号Ｓ１４７を用いて周波数制御を行った場合に生じる誤差は、ピーク検出信号Ｓ１３９を用いて周波数制御した場合の誤差に比べて、１／１５に軽減され、高精度な周波数制御を可能とする。
【００４３】
図２は、シンボル演算器１０１のピーク検出信号Ｓ１３９又はスロット演算器１０２のピーク検出信号Ｓ１４７を用いた場合の相関値の電力の周波数特性を示す図である。
【００４４】
周波数特性２０１は、シンボル演算器１０１のピーク検出信号Ｓ１３９を用いて周波数制御を行った場合の特性を示し、横軸が発振器４０９の発振周波数ｆｒｅｑを示し、縦軸がシンボルの相関値の電力Ｓ１３６（ＰＷＲ）を示す。
【００４５】
周波数特性２０２は、スロット演算器１０２のピーク検出信号Ｓ１４７を用いて周波数制御を行った場合の特性を示し、横軸が発振器４０９の発振周波数ｆｒｅｑを示し、縦軸がスロットの相関値の電力Ｓ１４６（ＰＷＲ）を示す。なお、上記では、１個のスロットＳＬが１５個のシンボルＳＹＭからなる場合を例に説明したが、この周波数特性２０２は１個のスロットＳＬが１６個のシンボルＳＹＭからなる場合の特性を示す。
【００４６】
周波数特性２０２は、周波数特性２０１に比べ、同期周波数ｆｃ付近で傾きが急峻になる。したがって、スロットのピーク検出信号Ｓ１４７を用いて周波数制御を行うと、シンボルのピーク検出信号Ｓ１３９を用いて周波数制御を行う場合に比べ、高精度で、ピークを検出し、かつ周波数を制御することができる。これにより、周波数制御の誤差を小さくすることができる。
【００４７】
（第２の実施形態）
図３は、図１に対応し、本発明の第２の実施形態による図４の相関器４０４及びピーク検出器４０５の構成例を示す図である。本実施形態（図３）は、第１の実施形態（図１）に対して、閾値判定器３０１を追加したものである。以下、本実施形態（図３）が第１の実施形態（図１）と異なる点を説明する。
【００４８】
閾値判定器３０１は、ピーク検出器１１８がピークを検出したときの相関値の電力Ｓ１３６が閾値ＴＨより小さいときには、初期化信号ＲＳを出力する。シフトレジスタ１２２Ｉ及び１２２Ｑは、初期化信号ＲＳを入力すると、記憶内容を０に初期化する。これにより、再度ピーク検出を実施させる。
【００４９】
本実施形態によれば、スロット演算器１０２は、ピーク検出器１１８でピークが検出されたときの相関値の電力（相関値の絶対値）Ｓ１３６が閾値ＴＨよりも大きいときにのみ、ピーク検出器１１８でピークが検出されたときの相関値Ｓ１３４Ｉ，Ｓ１３４ＱをスロットパターンＳＰに応じて正負符号反転して複数のシンボルについて積分する。
【００５０】
例えば、受信電波の瞬断等によりスロットパターンＳＰによる相関値の電力Ｓ１４６のピーク値が著しく小さくなる可能性がある。その場合、実施形態のようにシフトレジスタ１２２Ｉ及び１２２Ｑをリセットすることにより、同期周波数の誤弁別を防ぐことが可能になる。
【００５１】
以上のように、第１及び第２の実施形態の通信装置は、拡散符号によりスペクトラム拡散変調された信号ＩＮＩ，ＩＮＱを入力し、シンボル単位で入力信号ＩＮＩ，ＩＮＱ及び拡散符号ＳＣの相関値を演算する相関器１１３Ｉ，１１３Ｑ，１１５Ｉ，１１５Ｑと、前記相関値のピークを検出する第１のピーク検出器１１８と、前記ピークが検出されたときの相関値をスロットパターンＳＰに応じて正負符号反転して複数のシンボルについて積分する演算器１２３Ｉ，１２３Ｑ，１２５Ｉ，１２５Ｑと、前記積分された相関値のピークを検出する第２のピーク検出器１２８とを有することを特徴とする。
【００５２】
第１及び第２の実施形態によれば、複数のシンボルについて相関値を積分してピークを検出することにより、スペクトラム拡散変調された信号及び拡散符号の相関値のピークを高精度で検出することができる。これにより、高精度で周波数を制御して同期をとることができる。
【００５３】
また、シンボル演算器１０１及びスロット演算器１０２を有する通信装置は、シンボル演算器１０１のみを有する通信装置に比べ、構成を大きく変えることなく、高精度な周波数制御を行うことができる。
【００５４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５５】
【図１】本発明の第１の実施形態による相関器及びピーク検出器の構成例を示す図である。
【図２】シンボル演算器のピーク検出信号又はスロット演算器のピーク検出信号を用いた場合の相関値の電力の周波数特性を示す図である。
【図３】本発明の第２の実施形態による相関器及びピーク検出器の構成例を示す図である。
【図４】スペクトラム直接拡散通信装置の受信部の構成例を示すブロック図である。
【図５】相関値の電力の周波数特性を示す図である。
【図６】スペクトラム拡散通信における送信フレームの構成例を示す図である。
【符号の説明】
【００５６】
１０１  シンボル演算器
１０２  スロット演算器
１０３  セレクタ
１１８，１２８  ピーク検出器
１２１  保持回路
３０１  閾値判定器
４０１  直交復調回路
４０２  ローパスフィルタ
４０３  アナログ／デジタル変換器
４０４  相関器
４０５  ピーク検出器
４０６  掃引制御器
４０７  掃引カウンタ
４０８  デジタル／アナログ変換器
４０９  電圧制御発振器
４１０  復調回路
【図１】
2008109271.tif 000003
【図２】
2008109271.tif 000004
【図３】
2008109271.tif 000005
【図４】
2008109271.tif 000006
【図５】
2008109271.tif 000007
【図６】
2008109271.tif 000008